(57)【要約】【課題】本発明は、タッチパネルと光透過領域を有するカバー基板の位置合わせを正確に行える表示装置を提供することを目的とする。【解決手段】タッチパネル２２は、センシング有効領域２８にセンシングのための透明電極３０及び透明電極３０と重なる金属マーク４６を有し、周辺領域５２にセンシング有効領域２８の外形に沿って延びる金属配線５４を有し、透明電極３０は、金属配線５４に電気的に接続する。カバー基板５８の遮光領域６２は、周辺領域５２と重なる第１部分６８と、透明電極３０及び金属マーク４６を覆うようにセンシング有効領域２８の一部と重なる第２部分７０と、を含む。【選択図】図４
2013145261.tif 000002
【特許請求の範囲】
【請求項１】
表示領域を有する表示パネルと、
前記表示領域と重なるセンシング有効領域及び前記センシング有効領域の外側の周辺領域を有するタッチパネルと、
前記表示領域及び前記センシング有効領域と重なる光透過領域と、前記光透過領域を囲む遮光領域と、を含むカバー基板と、
を有し、
前記タッチパネルは、前記センシング有効領域に透明電極及び前記透明電極と重なる金属層を有し、前記周辺領域に金属配線を有し、前記透明電極は前記金属配線に電気的に接続し、
前記カバー基板の前記遮光領域は、前記タッチパネルの前記金属配線と前記センシング有効領域に形成した前記金属層を覆うことを特徴とする表示装置。
【請求項２】
請求項１に記載された表示装置において、
前記カバー基板の前記遮光領域は、前記タッチパネルの前記金属配線を覆うように前記周辺領域と重なる第１部分と、前記透明電極及び前記金属層を覆うように前記センシング有効領域の一部と重なる第２部分と、を含み、前記第１部分の前記光透過領域と隣接する縁は、前記金属配線に隣り合って位置し、前記第２部分の前記光透過領域と隣接する縁は、前記金属層に隣り合って位置することを特徴とする表示装置。
【請求項３】
請求項２に記載された表示装置において、
前記光透過領域は四辺形であり、
前記遮光領域の前記第１部分は、前記光透過領域の三辺に隣接し、
前記遮光領域の前記第２部分は、前記光透過領域の前記三辺を除く残りの一辺に隣接することを特徴とする表示装置。
【請求項４】
請求項２又は３に記載された表示装置において、
前記遮光領域は、開口を有する枠状に形成され、
前記開口は、前記遮光領域の外形の中央からいずれかの方向にずれて位置し、
前記第２部分は、前記開口がずれる前記方向とは反対側で前記開口に隣接することを特徴とする表示装置。
【請求項５】
請求項１から４のいずれか１項に記載された表示装置において、
前記カバー基板は、光透過性材料からなり、前記遮光領域に遮光膜が形成されていることを特徴とする表示装置。
【請求項６】
請求項２から４のいずれか１項に記載された表示装置において、
前記カバー基板は、前記遮光領域の前記第２部分に、前記透明電極と重なるように、タッチボタンを示すマークを有することを特徴とする表示装置。
【請求項７】
請求項１から６のいずれか１項に記載された表示装置において、
前記透明電極は、第１方向に延びる第１電極と、前記第１方向に直交する第２方向に延びる第２電極と、を含み、
前記第１電極は、前記第１方向に並ぶ複数の第１パッド部と、それぞれの前記第１パッド部よりも細く形成されて前記第１方向に隣同士の前記第１パッド部を接続する第１接続部と、を有し、
前記第２電極は、前記第２方向に並ぶ複数の第２パッド部と、それぞれの前記第２パッド部よりも細く形成されて前記第２方向に隣同士の前記第２パッド部を接続する第２接続部と、を有し、
前記金属層は、前記第１電極及び前記第２接続部との重複を避けて、前記第２パッド部に重なって配置されていることを特徴とする表示装置。
【請求項８】
請求項７に記載された表示装置において、
前記第１パッド部並びに前記第２パッド部及び前記第２接続部は、同じ層位置に形成され、
前記第１パッド部と前記第１接続部とは、異なる層位置に形成されて電気的に接続され、
前記第１接続部と前記第２接続部は、絶縁膜を介して、立体的に交差することを特徴とする表示装置。
【請求項９】
請求項７又は８に記載された表示装置において、
前記第１パッド部よりも前記第２パッド部の面積が大きいことを特徴とする表示装置。
【請求項１０】
請求項９に記載された表示装置において、
前記第２パッド部は、前記第１方向の幅が前記第２方向の幅よりも大きく、
前記金属層は、前記第１方向に長くなるように延びることを特徴とする表示装置。
【請求項１１】
光透過領域とこの光透過領域を囲む遮光領域を有するカバー基板を備えたタッチパネルであって、
前記タッチパネルは、センシング有効領域と前記センシング有効領域を囲む周辺領域を有し、
前記センシング有効領域には透明電極と金属層とが形成され、
前記透明電極は第１方向に延びる第１電極と前記第１方向に交差する第２方向に延びる第２電極とを含み、
前記金属層は前記透明電極と重なって配置され、
前記周辺領域には前記透明電極に接続する金属配線が形成され、
前記カバー基板は前記光透過領域が前記タッチパネルの前記センシング有効領域に対向して配置され、前記遮光領域が前記周辺領域と前記センシング有効領域に形成した前記金属層と対向して配置されることを特徴とするカバー基板付きタッチパネル。
【発明の詳細な説明】
【技術分野】
【０００１】
本発明は、タッチパネル及びタッチパネルを備えた表示装置に関する。
【背景技術】
【０００２】
液晶表示パネルにフロントウインドウと呼ばれる透明基板を備える液晶表示装置が知られている（特許文献１）。フロントウインドウの周辺領域には不透明な領域（印刷部）があり、液晶表示パネルの表示領域の周辺領域を印刷部で隠すようになっている。
【０００３】
インターフェースとしてタッチパネルを備えた液晶表示装置（特許文献２）では、フロントウインドウは、タッチパネル上に重ねられる。タッチパネルとフロントウインドウの位置合わせは、それぞれの外形を基準にして行われていた。
【先行技術文献】
【特許文献】
【０００４】
【特許文献１】特開２０１０−７８８９８号公報
【特許文献２】特開２００８−８３４９１号公報
【発明の概要】
【発明が解決しようとする課題】
【０００５】
液晶表示パネルの周辺領域が狭くなってきたことに対応して、タッチパネルの周辺領域（入力が行われる有効領域の外側の領域）も狭くなってきている。そのため、フロントウインドウに形成された印刷部の位置にずれがあると、タッチパネルの周辺領域にある金属配線が、フロントウインドウの印刷部に囲まれた開口領域から見えてしまうという問題があった。
【０００６】
本発明は、タッチパネルと光透過領域を有するカバー基板の位置合わせを正確に行える表示装置を提供することを目的とする。
【課題を解決するための手段】
【０００７】
（１）本発明に係る表示装置は、表示領域を有する表示パネルと、前記表示領域と重なるセンシング有効領域及び前記センシング有効領域の外側の周辺領域を有するタッチパネルと、前記表示領域及び前記センシング有効領域と重なる光透過領域と、前記光透過領域を囲む遮光領域と、を含むカバー基板と、を有し、前記タッチパネルは、前記センシング有効領域に透明電極及び前記透明電極と重なる金属層を有し、前記周辺領域に金属配線を有し、前記透明電極は前記金属配線に電気的に接続し、前記カバー基板の前記遮光領域は、前記タッチパネルの前記金属配線と前記センシング有効領域に形成した前記金属層を覆うことを特徴とする。本発明によれば、金属層が透明電極と重なって配置されているため、この金属層を位置合わせ用のマークとして使用することができる。
【０００８】
（２）（１）に記載された表示装置において、前記カバー基板の前記遮光領域は、前記タッチパネルの前記金属配線を覆うように前記周辺領域と重なる第１部分と、前記透明電極及び前記金属層を覆うように前記センシング有効領域の一部と重なる第２部分と、を含み、前記第１部分の前記光透過領域と隣接する縁は、前記金属配線に隣り合って位置し、前記第２部分の前記光透過領域と隣接する縁は、前記金属層に隣り合って位置することを特徴としてもよい。これによれば、金属配線をアライメントマークとして第１部分を位置決めし、金属層をアライメントマークとして第２部分を位置決めすることで、カバー基板の遮光領域とタッチパネルの位置合わせを行うことができる。特に、遮光領域の第２部分の縁は、透明電極よりも内側に位置するので、金属配線をアライメントマークにすることができないが、金属層をアライメントマークとして使用することができる。
【０００９】
（３）（２）に記載された表示装置において、前記光透過領域は四辺形であり、前記遮光領域の前記第１部分は、前記光透過領域の三辺に隣接し、前記遮光領域の前記第２部分は、前記光透過領域の前記三辺を除く残りの一辺に隣接することを特徴としてもよい。
【００１０】
（４）（２）又は（３）に記載された表示装置において、前記遮光領域は、開口を有する枠状に形成され、前記開口は、前記遮光領域の外形の中央からいずれかの方向にずれて位置し、前記第２部分は、前記開口がずれる前記方向とは反対側で前記開口に隣接することを特徴としてもよい。
【００１１】
（５）（１）から（４）のいずれか１項に記載された表示装置において、前記カバー基板は、光透過性材料からなり、前記遮光領域に遮光膜が形成されていることを特徴としてもよい。
【００１２】
（６）（２）から（４）のいずれか１項に記載された表示装置において、前記カバー基板は、前記遮光領域の前記第２部分に、前記透明電極と重なるように、タッチボタンを示すマークを有することを特徴としてもよい。
【００１３】
（７）（１）から（６）のいずれか１項に記載された表示装置において、前記透明電極は、第１方向に延びる第１電極と、前記第１方向に直交する第２方向に延びる第２電極と、を含み、前記第１電極は、前記第１方向に並ぶ複数の第１パッド部と、それぞれの前記第１パッド部よりも細く形成されて前記第１方向に隣同士の前記第１パッド部を接続する第１接続部と、を有し、前記第２電極は、前記第２方向に並ぶ複数の第２パッド部と、それぞれの前記第２パッド部よりも細く形成されて前記第２方向に隣同士の前記第２パッド部を接続する第２接続部と、を有し、前記金属層は、前記第１電極及び前記第２接続部との重複を避けて、前記第２パッド部に重なって配置されていることを特徴としてもよい。
【００１４】
（８）（７）に記載された表示装置において、前記第１パッド部並びに前記第２パッド部及び前記第２接続部は、同じ層位置に形成され、前記第１パッド部と前記第１接続部とは、異なる層位置に形成されて電気的に接続され、前記第１接続部と前記第２接続部は、絶縁膜を介して、立体的に交差することを特徴としてもよい。
【００１５】
（９）（７）又は（８）に記載された表示装置において、前記第１パッド部よりも前記第２パッド部の面積が大きいことを特徴としてもよい。
【００１６】
（１０）（９）に記載された表示装置において、前記第２パッド部は、前記第１方向の幅が前記第２方向の幅よりも大きく、前記金属層は、前記第１方向に長くなるように延びることを特徴としてもよい。
【００１７】
（１１）本発明に係るカバー基板付きタッチパネルは、光透過領域とこの光透過領域を囲む遮光領域を有するカバー基板を備えたタッチパネルであって、前記タッチパネルは、センシング有効領域と前記センシング有効領域を囲む周辺領域を有し、前記センシング有効領域には透明電極と金属層とが形成され、前記透明電極は第１方向に延びる第１電極と前記第１方向に交差する第２方向に延びる第２電極とを含み、前記金属層は前記透明電極と重なって配置され、前記周辺領域には前記透明電極に接続する金属配線が形成され、前記カバー基板は前記光透過領域が前記タッチパネルの前記センシング有効領域に対向して配置され、前記遮光領域が前記周辺領域と前記センシング有効領域に形成した前記金属層と対向して配置されることを特徴とする。本発明によれば、金属層が透明電極と重なって配置されているため、この金属層を位置合わせ用のマークとして使用することができる。
【図面の簡単な説明】
【００１８】
【図１】本発明の実施形態に係る表示装置を示す斜視図である。
【図２】本発明の実施形態に係る表示装置を示す断面図である。
【図３】タッチパネルの平面図である。
【図４】図３に示すタッチパネルの一部拡大図である。
【図５】図４に示すタッチパネルのＶ−Ｖ線断面図である。
【図６】図４に示すタッチパネルのVI−VI線断面図である。
【図７】下層透明導電膜及び金属膜の積層構造を示す図である。
【図８】金属膜を示す図である。
【図９】下層透明導電膜、金属膜及び絶縁膜の積層構造を示す図である。
【図１０】上層透明導電膜を示す図である。
【図１１】本発明の実施形態に係る表示装置を示す断面図である。
【発明を実施するための形態】
【００１９】
図１は、本発明の実施形態に係る表示装置を備えた機器の斜視図である。図１に示す機器は、本発明の表示装置をスマートフォンに適用した例であり、タッチパネルインターフェースを有する。
【００２０】
図２は、本発明の実施形態に係るタッチパネルを備えた表示装置を示す断面図である。表示装置は、表示パネル１０を有する。表示パネル１０は表示領域１２を有する。本実施形態では、表示パネル１０は、液晶表示パネルであって、一対の基板１４（ガラス基板）を有し、両者間には図示しない液晶が介在する。液晶の駆動方式は、ＩＰＳ（In Plane Switching）方式、ＴＮ（Twisted Nematic）方式又はＶＡ（Vertical Alignment）方式などいずれの方式であってもよく、方式に応じた電極及び配線が形成される。基板１４には、それぞれ、偏光板１６が貼り付けられている。一方の基板１４の周縁部には、液晶を駆動するためのドライバ回路を内蔵する集積回路チップ１８が搭載され、フレキシブル配線基板２０が取り付けられている。あるいは、表示パネル１０は、有機ＥＬ（Electro Luminescence）パネルであってもよい。
【００２１】
表示装置は、タッチパネル２２（例えば静電容量結合方式のタッチパネル）を含んでいる。矩形のタッチパネル２２は、矩形の表示パネル１０と重なるように配置されている。タッチパネル２２と表示パネル１０とは、粘着層２４によって貼り付けられている。タッチパネル２２が表示パネル１０の表示領域１２上に配置されているので、表示パネル１０の画像に対して指による入力が可能になっている。タッチパネル２２には、フレキシブル配線基板２６が電気的に接続されている。また、例えば、タッチパネル２２のセンシング領域は表示装置の表示領域１２よりも大きく形成され、カバー基板５８の外形はタッチパネル２２の外形よりも大きく形成されている。
【００２２】
図３は、表示装置をカバー基板（カバーガラス）２２側から見た模式図であり、また、この模式図の一部はカバー基板２２の周辺部を切り欠いてタッチパネル２２の配線を示している。図４は、タッチパネル２２の一部拡大図である。図５は、図４に示すタッチパネル２２のＶ−Ｖ線断面図である。タッチパネル２２はセンシング有効領域２８とセンシング有効領域２８を囲む周辺領域５２を有する（図３参照）。タッチパネル２２のセンシング有効領域２８は表示パネルの表示領域１２と対向して配置される。図３において、外側の二点鎖線の内側がセンシング有効領域２８である。センシング有効領域２８には、図４に示すように、センシングのための複数の透明電極３０と金属層４６とが形成されて、透明電極３０は第１方向に延びる第１電極３２と第１方向に交差する第２方向に延びる第２電極３８とを含んでいる。
【００２３】
複数の透明電極３０は、第１方向Ｘ（図４で左右方向）に延びる第１電極３２を含む。第１電極３２は、第１方向Ｘに並ぶ複数の第１パッド部３４を有する。第１電極３２は、第１方向Ｘに隣同士の第１パッド部３４を接続する第１接続部３６を有する（図６参照）。第１パッド部３４と第１接続部３６とは、異なる層位置に形成されて電気的に接続されている。第１接続部３６は、接続する第１パッド部３４よりも細く形成されている。
【００２４】
複数の透明電極３０は、第１方向Ｘに直交する第２方向Ｙ（図４で上下方向）に延びる第２電極３８を含む。第２電極３８は、第２方向Ｙに並ぶ複数の第２パッド部４０を有する。第２パッド部４０は、第１パッド部３４よりも面積が大きい。第２パッド部４０は、第１方向Ｘ（図４で左右方向）の幅が第２方向Ｙ（図４で上下方向）の幅よりも大きい。第２電極３８は、第２方向Ｙに隣同士の第２パッド部４０を接続する第２接続部４２を有する。第２接続部４２は、接続する第２パッド部４０よりも細く形成されている。
【００２５】
第１パッド部３４並びに第２パッド部４０及び第２接続部４２は、同じ層位置に形成されている。図６に示すように、第１接続部３６と第２接続部４２は、絶縁膜４４を介して、立体的に交差する。
【００２６】
図３に示すセンシング有効領域２８には、図４に示すように、いずれかの透明電極３０と重なる金属層４６が形成されている。詳しくは、金属層４６は、第１電極３２及び第２接続部４２との重複を避けて、第２パッド部４０に重なって配置されている。金属層４６は、第１方向Ｘに長くなるように延びる。金属層４６はタッチパネル２２の位置決めに使用される。以下、この金属層４６を金属マークという。
【００２７】
第２パッド部４０は、第２方向Ｙよりも第１方向Ｘに長く、この長い方向に金属マーク４６を延ばしてある。そのため、第２パッド部４０の両隣に位置する一対の第１パッド部３４から金属マーク４６を離すことができるので、バイパスコンデンサの形成を避けることができる。また、第２パッド部４０の第２方向Ｙの幅は、第１パッド部３４の第２方向Ｙの幅よりも広い。したがって、金属マーク４６を第１パッド部３４と重ねるよりも、図４に示すように金属マーク４６を第２パッド部４０と重ねた方が、バイパスコンデンサの形成を確実に避けることができる。
【００２８】
図５は、図４に示すタッチパネル２２のVI−VI線断面図である。金属マーク４６は、透明電極３０と重なって配置され、ＩＴＯ（Indium Tin Oxide）などからなる上層透明導電膜４８と下層透明導電膜５０の間に形成されている。上層透明導電膜４８は、図４に示す第１パッド部３４並びに第２パッド部４０及び第２接続部４２を形成する膜である。下層透明導電膜５０は、図６に示す第１接続部３６を形成する膜であるが、製造プロセスにより金属マーク４６の下にも残るようになっている。
【００２９】
図３に示すように、タッチパネル２２は、センシング有効領域２８の外側の周辺領域５２を有する。タッチパネル２２は、周辺領域５２にセンシング有効領域２８の外形に沿って延びる複数の金属配線５４を有する。上述した透明電極３０は、いずれかの金属配線５４に電気的に接続している。
【００３０】
図７〜図１０は、それぞれ、タッチパネル２２の積層構造を説明するための図である。タッチパネル２２は、下から順に、下層透明導電膜５０、金属膜５６、絶縁膜４４、上層透明導電膜４８が積層される。
【００３１】
図７は、下層透明導電膜５０及び金属膜５６の積層構造を示す図である。図８は、金属膜５６を示す図である。図７に示すように、下層透明導電膜５０は、第１接続部３６を形成している。図８に示すように、金属膜５６は、第１接続部３６を除いた下層透明導電膜５０の上に配置されており、金属マーク４６及び金属配線５４を形成している。初めに、下層透明導電膜５０（第１接続部３６）が形成され、その後、金属膜５６（金属マーク４６及び金属配線５４）が形成される。金属マーク４６と金属配線５４は一括して形成されるため、同層である。図９は、下層透明導電膜５０、金属膜５６及び絶縁膜４４の積層構造を示す図である。図９に示すように、第１接続部３６の上に絶縁膜４４が配置されている。金属膜５６を形成した後に絶縁膜４４が形成される。図１０は、上層透明導電膜４８を示す図である。図９に示す構造の上に図１０に示す上層透明導電膜４８が形成されている。第２接続部４２は、絶縁膜４４によって、第１接続部３６と導通しないようになっている。
【００３２】
表示装置は、図１及び図２に示すように、カバー基板５８を有する。カバー基板５８は、光透過性材料（例えばガラス）からなる。カバー基板５８は、表示領域１２及びセンシング有効領域２８と重なる光透過領域６０を有する。光透過領域６０は四辺形である（図３参照）。
【００３３】
カバー基板５８は、図３に二点鎖線で示すように、光透過領域６０を囲むように光を遮断する遮光領域６２（内側の二点鎖線で囲まれた領域）を有する。遮光領域６２には、例えば印刷によって遮光膜６４（印刷層）が形成されている。図３に示すように、遮光領域６２は、開口６６を有する枠状に形成されている。開口６６は、遮光領域６２の外形（又はカバー基板５８の外形）の中央からいずれかの方向にずれて位置している。カバー基板５８は、光透過領域６０がタッチパネル２２のセンシング有効領域２８に対向して配置され、遮光領域６２が周辺領域５２とセンシング有効領域２８の一部及びセンシング有効領域２８に形成した金属マーク４６と対向して配置される。
【００３４】
カバー基板５８の遮光領域６２は、図３に示すように、複数の金属配線５４を覆うように周辺領域５２と重なる第１部分６８を有する。遮光領域６２の第１部分６８は、光透過領域６０の三つの辺Ｓ１に隣接する。第１部分６８の光透過領域６０と隣接する縁は、いずれかの金属配線５４に隣り合って位置する。なお、図３には、金属配線５４の一部のみが示されており、他の金属配線５４の図示は省略してある。
【００３５】
カバー基板５８の遮光領域６２は、いずれかの透明電極３０及び金属マーク４６を覆うようにセンシング有効領域２８の一部と重なる第２部分７０を含む。第２部分７０の光透過領域６０と隣接する縁は、金属マーク４６に隣り合って位置する。遮光領域６２の第２部分７０は、光透過領域６０の三つの辺Ｓ１を除く残りの一辺Ｓ２に隣接する。第２部分７０は、遮光領域６２の外形の中央から開口６６がずれる方向とは反対側で開口６６に隣接する。
【００３６】
カバー基板５８は、遮光領域６２の第２部分７０に、いずれかの透明電極３０と重なるように、図１に示すように、タッチボタンを示すマーク７２を有する。マーク７２は、表示領域１２から外れた位置にあるが、これをタッチすると、センシング有効領域２８でセンシングがなされて、所定の動作を行うように駆動される。
【００３７】
本実施形態によれば、金属配線５４をアライメントマークとして第１部分６８を位置決めし、金属マーク４６をアライメントマークとして第２部分７０を位置決めすることで、カバー基板５８の遮光領域６２とタッチパネル２２の位置合わせを行うことができる。位置合わせは、タッチパネル２２側から観察して、遮光膜６４上に金属配線５４及び金属マーク４６を認識して行う。
【００３８】
遮光領域６２の第２部分７０の縁は、透明電極３０よりも内側に位置するので、金属配線５４をアライメントマークにすることができないが、金属マーク４６をアライメントマークとして使用することができる。
【００３９】
なお、本実施形態では、図３に示すように、第２の金属マーク７４が設けてある。金属マーク４６及び第２の金属マーク７４は、開口６６の中心に対して点対称の位置にある。ただし、第２の金属マーク７４は、周辺領域５２（センシング有効領域２８の外側）に配置されている。第２の金属マーク７４は、金属配線５４の代わりに、遮光領域６２の位置決めマークとして使用することができる。
【００４０】
図１１は表示装置１０に接続するフレキシブル配線基板２０とタッチパネル２２に接続するフレキシブル配線基板２６とが異なる方向から引き出された場合の実施例である。また、図１１の表示装置は有機ＥＬを用いている。表示装置１０に接続するフレキシブル配線基板２０は有機ＥＬ表示装置の回路基板１５に接続する。回路基板１５の回路を形成した面には封止基板１７が配置され、回路への水分の進入を防いでいる。図１１の表示装置はトップエミッション型の有機ＥＬ表示装置であり、表示面側には外光の反射を抑制するために偏光板１６が配置されている。偏光板の上には粘着層２４によってタッチパネル２２が貼り付けられている。
【００４１】
表示装置を観察者側から見た場合、タッチパネル２２に接続するフレキシブル配線基板２６は、表示装置１０に接続するフレキシブル配線基板２０が接続する辺と対向する辺でタッチパネル２２と接続している。このような構成とすることで、タッチパネル２２に接続するフレキシブル配線基板２６と表示装置１０に接続するフレキシブル配線基板２０との接触を抑制できる。なお、タッチパネル２２に接続するフレキシブル配線基板２６と表示装置１０に接続するフレキシブル配線基板２０とを同じ回路基板に接続する場合には、図２のように、同じ辺側にフレキシブル配線基板２０，２６を配置すればよい。
【００４２】
このような場合でも、金属層で形成した金属マーク４６が透明電極３０と重なっており、タッチパネル２２の上面側又は下面側から金属マーク４６を確認することができるので、タッチパネルの位置決めが容易となる。
【００４３】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００４４】
１０  表示パネル、１２  表示領域、１４  基板、１５  回路基板、１６  偏光板、１７  封止基板、１８  集積回路チップ、２０  フレキシブル配線基板、２２  タッチパネル、２４，２５  粘着層、２６  フレキシブル配線基板、２８  センシング有効領域、３０  透明電極、３２  第１電極、３４  第１パッド部、３６  第１接続部、３８  第２電極、４０  第２パッド部、４２  第２接続部、４４  絶縁膜、４６  金属マーク、４８  上層透明導電膜、５０  下層透明導電膜、５２  周辺領域、５４  金属配線、５６  金属膜、５８  カバー基板、６０  光透過領域、６２  遮光領域、６４  遮光膜、６６  開口、６８  第１部分、７０  第２部分、７２  マーク、７４  第２の金属マーク。
【図１】
2013145261.tif 000003
【図２】
2013145261.tif 000004
【図３】
2013145261.tif 000005
【図４】
2013145261.tif 000006
【図５】
2013145261.tif 000007
【図６】
2013145261.tif 000008
【図７】
2013145261.tif 000009
【図８】
2013145261.tif 000010
【図９】
2013145261.tif 000011
【図１０】
2013145261.tif 000012
【図１１】
2013145261.tif 000013